(57)【特許請求の範囲】
【請求項１】
メモリに記憶された、プロセッサが実行可能な指令に基づいて、前記プロセッサが、スマート指標の関連情報を取得するステップと、
前記プロセッサが、取得した前記関連情報によって対応するスマート指標をそれぞれ計算するステップと、
前記プロセッサが、スマート指標及び設備の個数によって重み計算を行って、スマート指標を取得するステップと、を含み、
前記関連情報は、安全設備使用情報、スマートホームＡＰＰのログイン情報、スマートシナリオ設定情報、及び設備の個数を含み、
前記スマート指標は、安全指標、活躍指標、及び連動指標を含むことを特徴とするスマート指標計算方法。
【請求項２】
前記プロセッサがスマート指標の関連情報を取得するステップは、
安全指標に対応する安全設備使用情報、活躍指標に対応するスマートホームＡＰＰのログイン情報、連動指標に対応するスマートシナリオ設定情報を取得するステップを含み、
前記プロセッサが、取得した前記関連情報によって対応するスマート指標をそれぞれ計算するステップは、
安全設備使用情報によって安全指標を計算し、スマートホームＡＰＰのログイン情報によって活躍指標を計算し、スマートシナリオ設定情報によって連動指標を計算するステップを含むことを特徴とする請求項１に記載のスマート指標計算方法。
【請求項３】
前記プロセッサが前記安全指標に対応する安全設備使用情報を取得するステップは、
安全指標Ａ１に対応する安全設備の種類総数ｎ、及び第ｉ類の安全設備の個数Ｎｉを取得するステップを含み、
前記プロセッサが前記安全設備使用情報によって安全指標を計算するステップは、安全指標Ａ１の計算式である
0006262875.tif 000018
によって安全指標Ａ１を取得するステップを含み、上記式において、Ａ１は安全指標を表し、ｎは安全設備の種類総数を表し、ｉは第ｉ類の安全設備を表し、αｉは第ｉ類の安全設備の重みを表し、ここで、
0006262875.tif 000019
であり、Ｎｉは第ｉ類の安全設備の個数を表すことを特徴とする請求項２に記載のスマート指標計算方法。
【請求項４】
前記第ｉ類の安全設備の個数Ｎｉが安全設備の最大値Ｐｍａｘより大きい場合、Ｎｉの値はＰｍａｘを取ることを特徴とする請求項３に記載のスマート指標計算方法。
【請求項５】
前記プロセッサが前記活躍指標に対応するスマートホームＡＰＰのログイン情報を取得するステップは、
活躍指標Ａ２に対応する活動周期Ｔ、及びユーザの前記活動周期Ｔ内での第j日のログイン回数Ｍｊを取得するとともに、第j日と現在の日との日数差Ｑｊ計算するステップを含み、
前記プロセッサがスマートホームＡＰＰのログイン情報によって活躍指標を計算するステップは、活躍指標Ａ２の計算式である
0006262875.tif 000020
によって活躍指標Ａ２を取得するステップを含み、上記式において、Ａ２は活躍指標を表し、Ｔは活動周期を表し、Ｍｊはユーザの活動周期Ｔ内での第j日のログイン回数を表し、ｊは活動周期内の第j日を表し、Ｑｊは活動周期Ｔ内での第j日と現在の日との日数差を表すことを特徴とする請求項２に記載のスマート指標計算方法。
【請求項６】
前記プロセッサが前記連動指標に対応するシナリオ設定情報を取得するステップは、
連動指標Ａ３に対応するスマートシナリオの個数Ｌを取得するステップを含み、
前記プロセッサが前記スマートシナリオ設定情報によって連動指標を計算するステップは、連動指標Ａ３の計算式である
Ａ３=ｂ*Ｌｏｇ(Ｌ+１)
によって連動指標Ａ３を取得するステップを含み、上記式において、Ａ３は連動指標を表し、ｂはスマートシナリオの重みを表し、Ｌはスマートシナリオの個数を表すことを特徴とする請求項２に記載のスマート指標計算方法。
【請求項７】
前記プロセッサが前記スマート指標によって重み計算を行ってスマート指標を取得するステップは、スマート指標Ｓの計算式である
Ｓ=ｃ１Ａ１＋ｃ２Ａ２＋ｃ３Ａ３＋ｃ４Ｌｏｇ(Ｒ+１)
によって、スマート指標Ｓを取得するステップを含み、上記式において、Ｓはスマート指標を表し、Ａ１は安全指標を表し、ｃ１は安全指標Ａ１の重みを表し、Ａ２は活躍指標を表し、ｃ２は活躍指標Ａ２の重みを表し、Ａ３は連動指標を表し、ｃ３は連動指標Ａ３の重みを表し、Ｒは設備の個数を表し、ｃ４は設備の個数Ｒの重みを表し、ここで、
0006262875.tif 000021
ｋ=１、２、３、４であることを特徴とする請求項１に記載のスマート指標計算方法。
【請求項８】
前記プロセッサが前記安全指標、活躍指標、連動指標、及び前記スマート指標を表示するステップをさらに含むことを特徴とする請求項１乃至請求項７のいずれか１項に記載のスマート指標計算方法。
【請求項９】
プロセッサと、
プロセッサが実行可能な指令を記憶するためのメモリと、を有し、
前記プロセッサが、前記指令に基づいて、
スマート指標の関連情報を取得する取得モジュールと、
取得モジュールによって取得した前記関連情報によって対応するスマート指標をそれぞれ計算する第１の計算モジュールと、
第１の計算モジュールが算出されたスマート指標、及び設備の個数によって重み計算を行ってスマート指標を取得する第２の計算モジュールと、を実現し、
前記関連情報は、安全設備使用情報、スマートホームＡＰＰのログイン情報、スマートシナリオ設定情報、及び設備の個数を含み、
前記スマート指標は、安全指標、活躍指標、及び連動指標を含むことを特徴とするスマート指標を計算する装置。
【請求項１０】
前記取得モジュールは、安全指標に対応する安全設備使用情報、活躍指標に対応するスマートホームＡＰＰのログイン情報、連動指標に対応するスマートシナリオ設定情報を取得し、
前記第１の計算モジュールは、安全設備使用情報によって安全指標を計算し、スマートホームＡＰＰのログイン情報によって活躍指標を計算し、スマートシナリオ設定情報によって連動指標を計算することを特徴とする請求項９に記載の装置。
【請求項１１】
前記取得モジュールは、安全指標Ａ１に対応する安全設備の種類総数ｎ、及び第ｉ類の安全設備の個数Ｎｉを取得し、
第１の計算モジュールは、安全指標Ａ１の計算式である
0006262875.tif 000022
によって安全指標Ａ１を取得し、上記式において、Ａ１は安全指標を表し、ｎは安全設備の種類総数を表し、ｉは第ｉ類の安全設備を表し、αｉは第ｉ類の安全設備の重みを表し、ここで、
0006262875.tif 000023
であり、Ｎｉは第ｉ類の安全設備の個数を表すことを特徴とする請求項１０に記載の装置。
【請求項１２】
前記第ｉ類の安全設備の個数Ｎｉが安全設備の最大値Ｐｍａｘより大きい場合、Ｎｉの値はＰｍａｘを取ることを特徴とする請求項１１に記載の装置。
【請求項１３】
前記取得モジュールは、活躍指標Ａ２に対応する活動周期Ｔ、及びユーザの前記活動周期Ｔ内での第j日のログイン回数Ｍｊを取得するとともに、第j日と現在の日との日数差Ｑｊ計算し、
前記第１の計算モジュールは、活躍指標Ａ２の計算式である
0006262875.tif 000024
によって活躍指標Ａ２を取得し、上記式において、Ａ２は活躍指標を表し、Ｔは活動周期を表し、Ｍｊはユーザの活動周期Ｔ内での第j日のログイン回数を表し、ｊは活動周期内の第j日を表し、Ｑｊは活動周期Ｔ内での第j日と現在の日との日数差を表すことを特徴とする請求項１０に記載の装置。
【請求項１４】
前記取得モジュールは、連動指標Ａ３に対応するスマートシナリオの個数Ｌを取得し、
前記第１の計算モジュールは、連動指標Ａ３の計算式である
Ａ３=ｂ*Ｌｏｇ(Ｌ+１)
によって連動指標Ａ３を取得し、上記式において、Ａ３は連動指標を表し、ｂはスマートシナリオの重みを表し、Ｌはスマートシナリオの個数を表すことを特徴とする請求項１０に記載の装置。
【請求項１５】
前記第２の計算モジュールは、スマート指標Ｓの計算式である
Ｓ=ｃ１Ａ１＋ｃ２Ａ２＋ｃ３Ａ３＋ｃ４Ｌｏｇ(Ｒ+１)
によってスマート指標Ｓを取得し、上記式において、Ｓはスマート指標を表し、Ａ１は安全指標を表し、ｃ１は安全指標Ａ１の重みを表し、Ａ２は活躍指標を表し、ｃ２は活躍指標Ａ２の重みを表し、Ａ３は連動指標を表し、ｃ３は連動指標Ａ３の重みを表し、Ｒは設備の個数を表し、ｃ４は設備の個数Ｒの重みを表し、ここで、
0006262875.tif 000025
ｋ=１、２、３、４であることを特徴とする請求項９に記載の装置。
【請求項１６】
前記安全指標、活躍指標、連動指標、及びスマート指標を表示する表示モジュールをさらに有することを特徴とする請求項９乃至請求項１５のいずれか１項に記載の装置。
【請求項１７】
自分のハウスの知能化程度を取得するようにスマート指標を算出するためのスマート指標計算装置であって、
プロセッサと、
プロセッサが実行可能な指令を記憶するためのメモリと、を有し、
前記指令に基づいて、前記プロセッサは、スマート指標の関連情報を取得し、取得した前記関連情報によって対応するスマート指標をそれぞれ計算し、スマート指標及び設備の個数によって重み計算を行ってスマート指標を取得し、
前記関連情報は、安全設備使用情報、スマートホームＡＰＰのログイン情報、スマートシナリオ設定情報、及び設備の個数を含むことを特徴とするスマート指標計算装置。
【請求項１８】
プロセッサに実行されることにより、請求項１から請求項８のいずれかに記載のスマート指標計算方法を実現することを特徴とするプログラム。
【請求項１９】
請求項１８に記載のプログラムが記録された記録媒体。
【発明の詳細な説明】
【技術分野】
【０００１】
本発明は、スマートホーム分野に関し、特に、スマート指標計算方法、装置、プログラム及び記録媒体に関する。
【背景技術】
【０００２】
スマートホームは、住宅をプラットホームとして、自動制御システム、コンピュータネットワークシステム、及びネットワーク通信技術を一体化したネットワーク化且つスマート化されたハウス制御システムであり、ハウスの安全性、便宜性、快適性、及び芸術性が向上され、省エネの住まい環境が実現される。
【０００３】
関連技術において、スマートホームは、タッチパネルや、音声認識制御や、ワイヤレスリモコン等を追加することによって、スマートホームシステムに接続され、家電設備を設定し、シナリオ操作を実行することで、複数の設備を連動させることができ、スマートホームにおける家電設備間の通信を実現することができる。
【０００４】
しかし、上記の操作では、ユーザが自己家電設備の安全性、ユーザの活躍度及び設備間の連動等のスマート指標を獲得できない問題が存在する。
【発明の概要】
【０００５】
関連技術の問題を解決するために、本発明は、スマート指標計算方法、装置、プログラム及び記録媒体を提供する。
【０００６】
本発明の実施例の第１の態様は、スマート指標の関連情報を取得するステップと、取得した前記スマート指標の関連情報によって対応するスマート指標をそれぞれ計算するステップと、スマート指標及び設備の個数によって重み計算を行ってスマート指標を取得するステップと、を含み、前記関連情報は、安全設備使用情報、スマートホームＡＰＰのログイン情報、スマートシナリオ設定情報、及び設備の個数を含み、前記スマート指標は、安全指標、活躍指標、及び連動指標を含むことを特徴とするスマート指標計算方法を提供する。
【０００７】
好ましくは、前記スマート指標の関連情報を取得するステップは、安全指標に対応する安全設備使用情報、活躍指標に対応するスマートホームＡＰＰのログイン情報、連動指標に対応するスマートシナリオ設定情報を取得するステップを含み、前記取得した前記スマート指標の関連情報によって対応するスマート指標をそれぞれ計算するステップは、安全設備使用情報によって安全指標を計算し、スマートホームＡＰＰのログイン情報によって活躍指標を計算し、スマートシナリオ設定情報によって連動指標を計算するステップを含む。
【０００８】
好ましくは、前記安全指標に対応する安全設備使用情報を取得するステップは、安全指標Ａ１に対応する安全設備の種類総数ｎ、及び第ｉ類の安全設備の個数Ｎｉを取得するステップを含み、前記安全設備使用情報によって安全指標を計算するステップは、安全指標Ａ１の計算式である
0006262875.tif 000002
によって安全指標Ａ１を取得するステップを含み、上記式において、Ａ１は安全指標を表し、ｎは安全設備の種類総数を表し、ｉは第ｉ類の安全設備を表し、αｉは第ｉ類の安全設備の重みを表し、ここで、
0006262875.tif 000003
であり、Ｎｉは第ｉ類の安全設備の個数を表す。
【０００９】
好ましくは、前記第ｉ類の安全設備の個数Ｎｉが安全設備の最大値Ｐｍａｘより大きい場合、Ｎｉの値はＰｍａｘを取る。
【００１０】
好ましくは、前記活躍指標に対応するスマートホームＡＰＰのログイン情報を取得するステップは、活躍指標Ａ２に対応する活動周期Ｔ、及びユーザの前記活動周期Ｔ内での第j日のログイン回数Ｍｊを取得するとともに、第j日と現在の日との日数差Ｑｊ計算するステップを含み、スマートホームＡＰＰのログイン情報によって活躍指標を計算するステップは、活躍指標Ａ２の計算式である
0006262875.tif 000004
によって活躍指標Ａ２を取得し、上記式において、Ａ２は活躍指標を表し、Ｔは活動周期を表し、Ｍｊはユーザの活動周期Ｔ内での第j日のログイン回数を表し、ｊは活動周期内の第j日を表し、Ｑｊは活動周期Ｔ内での第j日と現在の日との日数差を表す。
好ましくは、前記連動指標に対応するシナリオ設定情報を取得するステップは、連動指標Ａ３に対応するスマートシナリオの個数Ｌを取得するステップを含み、前記スマートシナリオ設定情報によって連動指標を計算するステップは、連動指標Ａ３の計算式である
Ａ３=ｂ*Ｌｏｇ(Ｌ+１)
によって連動指標Ａ３を取得するステップを含み、上記式において、Ａ３は連動指標を表し、ｂはスマートシナリオの重みを表し、Ｌはスマートシナリオの個数を表す。
【００１１】
好ましくは、前記スマート指標によって重み計算を行ってスマート指標を取得するステップは、スマート指標Ｓの計算式である
Ｓ=ｃ１Ａ１＋ｃ２Ａ２＋ｃ３Ａ３＋ｃ４Ｌｏｇ(Ｒ+１)
によって、スマート指標Ｓを取得し、上記式において、Ｓはスマート指標を表し、Ａ１は安全指標を表し、ｃ１は安全指標Ａ１の重みを表し、Ａ２は活躍指標を表し、ｃ２は活躍指標Ａ２の重みを表し、Ａ３は連動指標を表し、ｃ３は連動指標Ａ３の重みを表し、Ｒは設備の個数を表し、ｃ４は設備の個数Ｒの重みを表し、ここで、
0006262875.tif 000005
ｋ=１、２、３、４である。
【００１２】
好ましくは、前記安全指標、活躍指標、連動指標、及びスマート指標を表示するステップを含むことを特徴とする。
【００１３】
本発明の実施例の第２の態様は、スマート指標の関連情報を取得する取得モジュールと、取得モジュールによって取得した前記スマート指標の関連情報によって対応するスマート指標をそれぞれ計算する第１の計算モジュールと、第１の計算モジュールが算出されたスマート指標、及び設備の個数によって重み計算を行ってスマート指標を取得する第２の計算モジュールと、を有し、前記関連情報は、安全設備使用情報、スマートホームＡＰＰのログイン情報、スマートシナリオ設定情報、及び設備の個数を含み、前記スマート指標は、安全指標、活躍指標、及び連動指標を含むことを特徴とするスマート指標を計算する装置を提供する。
【００１４】
好ましくは、前記取得モジュールは、安全指標に対応する安全設備使用情報、活躍指標に対応するスマートホームＡＰＰのログイン情報、連動指標に対応するスマートシナリオ設定情報を取得し、前記第１の計算モジュールは、安全設備使用情報によって安全指標を計算し、スマートホームＡＰＰのログイン情報によって活躍指標を計算し、スマートシナリオ設定情報によって連動指標を計算する。
【００１５】
好ましくは、前記取得モジュールは、安全指標Ａ１に対応する安全設備の種類総数ｎ、及び第ｉ類の安全設備の個数Ｎｉを取得し、第１の計算モジュールは、安全指標Ａ１の計算式である
0006262875.tif 000006
によって安全指標Ａ１を取得し、上記式において、Ａ１は安全指標を表し、ｎは安全設備の種類総数を表し、ｉは第ｉ類の安全設備を表し、αｉは第ｉ類の安全設備の重みを表し、ここで、
0006262875.tif 000007
であり、Ｎｉは第ｉ類の安全設備の個数を表す。
【００１６】
好ましくは、前記第ｉ類の安全設備の個数Ｎｉが安全設備の最大値Ｐｍａｘより大きい場合、Ｎｉの値はＰｍａｘを取る。
【００１７】
好ましくは、前記取得モジュールは、活躍指標Ａ２に対応する活動周期Ｔ、及びユーザの前記活動周期Ｔ内での第j日のログイン回数Ｍｊを取得するとともに、第j日と現在の日との日数差Ｑｊ計算し、前記第１の計算モジュールは、活躍指標Ａ２の計算式である
0006262875.tif 000008
によって活躍指標Ａ２を取得し、上記式において、Ａ２は活躍指標を表し、Ｔは活動周期を表し、Ｍｊはユーザの活動周期Ｔ内での第j日のログイン回数を表し、ｊは活動周期内の第j日を表し、Ｑｊは活動周期Ｔ内での第j日と現在の日との日数差を表す。
【００１８】
好ましくは、前記取得モジュールは、連動指標Ａ３に対応するスマートシナリオの個数Ｌを取得し、前記第１の計算モジュールは、連動指標Ａ３の計算式である
Ａ３=ｂ*Ｌｏｇ(Ｌ+１)
によって連動指標Ａ３を取得し、上記式において、Ａ３は連動指標を表し、ｂはスマートシナリオの重みを表し、Ｌはスマートシナリオの個数を表す。
【００１９】
好ましくは、前記第２の計算モジュールは、スマート指標Ｓの計算式である
Ｓ=ｃ１Ａ１＋ｃ２Ａ２＋ｃ３Ａ３＋ｃ４Ｌｏｇ(Ｒ+１)
によって、スマート指標Ｓを取得し、上記式において、Ｓはスマート指標を表し、Ａ１は安全指標を表し、ｃ１は安全指標Ａ１の重みを表し、Ａ２は活躍指標を表し、ｃ２は活躍指標Ａ２の重みを表し、Ａ３は連動指標を表し、ｃ３は連動指標Ａ３の重みを表し、Ｒは設備の個数を表し、ｃ４は設備の個数Ｒの重みを表し、ここで、
0006262875.tif 000009
ｋ=１、２、３、４である。
【００２０】
好ましくは、前記安全指標、活躍指標、連動指標、及びスマート指標を表示する表示モジューをさらに有する。
【００２１】
本発明の実施例の第３の態様は、プロセッサと、プロセッサが実行可能な指令を記憶するためのメモリと、を有し、前記プロセッサは、スマート指標の関連情報を取得し、取得した前記スマート指標の関連情報によって対応するスマート指標をそれぞれ計算し、スマート指標と設備の個数によって重み計算を行ってスマート指標を取得するように配置される。
本発明の実施例の第４の態様は、プロセッサに実行されることにより、上記のスマート指標計算方法を実現するプログラムを提供する。
本発明の実施例の第５の態様は、上記プログラムが記録された記録媒体を提供する。
【００２２】
本発明の実施例の技術方案は以下の有益な効果を有する。
【００２３】
スマート指標の関連情報を取得し、取得した関連情報によって対応するスマート指標をそれぞれ計算し、スマート指標と設備の個数によって重み計算を行ってスマート指標を取得する。これによって、ユーザは、自分のハウスの知能化程度を取得でき、ユーザの参加感を高め、ユーザの積極性を向上できるので、ハウスの知能化程度を向上できる。
【００２４】
以上の一般な説明と後の詳細な説明は例示的なものであり、本発明を限定するものではない。
【図面の簡単な説明】
【００２５】
ここでの図面は、明細書の一部として明細書全体を構成し、本発明に合致する実施例を例示するとともに、本発明の原理を理解するためのものである。
【図１】例示的な実施例に係るスマート指標計算方法のフローチャートである。
【図２】例示的な他の実施例に係るスマート指標計算方法のフローチャートである。
【図３】例示的な実施例に係るスマート指標の表示画面の模式図である。
【図４】例示的な実施例に係るスマート指標計算装置のブロック図である。
【図５】例示的な他の実施例に係るスマート指標計算装置のブロック図である。
【図６】例示的な実施例に係るスマート指標計算装置に用いられるブロック図である。
【発明を実施するための形態】
【００２６】
以下、例示的実施例に対して詳しく説明し、その例示を図面に示す。以下の説明において図面に言及する時、特に説明しない限り、それぞれの図面における同一の符号は、同一又は類似する要素を表する。以下の例示的実施例において説明する実施形態は、本発明に該当する全ての実施形態ではない。逆に、それらは、特許請求の範囲に記載の本発明の一部の態様に一致する装置及び方法の例示に過ぎない。
【００２７】
図１は、例示的な実施例に係るスマート指標計算方法のフローチャートであり、当該スマート指標計算方法は端末に応用できる。図１に示すように、当該スマート指標計算方法は、以下のステップを含む。
【００２８】
ステップ１０１：スマート指標の関連情報を取得する。
【００２９】
スマート指標の関連情報は、安全設備の使用情報、スマートホームＡＰＰのログイン情報、スマートシナリオの設定情報、及び設備の個数を含む。
【００３０】
ステップ１０２：取得した前記スマート指標の関連情報によって、対応するスマート指標をそれぞれ計算する。前記スマート指標は、安全指標、活躍指標、及び連動指標を含む。
【００３１】
ステップ１０３：スマート指標及び設備の個数によって重み計算を行ってスマート指標を取得する。
【００３２】
以上を総合すると、本発明のスマート指標計算方法は、スマート指標の関連情報を取得し、取得した関連情報によって対応するスマート指標をそれぞれ計算し、スマート指標及び設備の個数によって重み計算を行ってスマート指標を取得する。これによって、ユーザは、自分のハウスの知能化程度を取得し、ユーザの参加感を高め、ユーザの積極性を向上させることができ、ハウスの知能化程度を向上できる。
【００３３】
図２は、例示的な他の実施例に係るスマート指標計算方法のフローチャートであり、当該スマート指標計算方法が端末に応用できる。図２に示すように、当該スマート指標計算方法は、以下のステップを含む。
【００３４】
ステップ２０１：安全指標に対応する安全設備使用情報、活躍指標に対応するスマートホームＡＰＰのログイン情報、及び連動指標に対応するスマートシナリオ設定情報を取得する。
【００３５】
安全指標は、スマート装置の安全性を表す指標である。安全設備使用情報は、スマートホームに潜む潜在的リスクを監視するための装置の使用状況を表すもので、主としてこれらの装置の使用数や使用されている装置の種類を含む。ここで、安全指標に相当する安全設備使用情報は、安全設備の種類及び各種類の安全設備の個数を含む。例えば、取得対象である安全設備は、安全カメラ、磁気ドアアラーム、音光アラーム（ａｕｄｉｂｌｅ  ｖｉｓｕａｌ  ａｌａｒｍ）、ガスセンサ、及び煙センサを含むが、上記の例示された安全設備に限定されない。
【００３６】
活躍指標は、スマート装置のＡＰＰ使用活動を表す指標である。スマートホームＡＰＰのログイン情報は、ユーザのスマートホームＡＰＰに対する再訪率を計算するための主な指標であり、主としてユーザのログイン回数及びログイン時間により確定できる。ここで、活躍指標に対応するスマートホームＡＰＰのログイン情報は、活動周期、及びユーザの活動周期Ｔ内のそれぞれの日のログイン回数と締め日である現在の日との日数差を含む。活動周期は、予め設定されるものである。例えば、予め設定される活動周期が１５日である場合、１５日間のそれぞれの日のスマートホームＡＰＰにログインする回数を取得する。例えば、計算のため、現在の日が２０１４年１０月３１日で締め日であるとすると、２０１４年１０月１６日から２０１４年１０月３１日までのそれぞれの日のスマートホームＡＰＰにログインする回数が取得され、それぞれのログイン日と締め日との日数差が計算される。なお、ログイン日と、締め日である現在の日と、の日数差が大きければ大きいほど、そのログイン日のユーザの活動により及ぼされる影響は小さくなる。このため、活動周期と、ログイン日と締め日との日数差と、の差分の値が小さければ小さいほど、そのログイン日のユーザの活動により及ぼされる影響は小さくなる。
【００３７】
連動指標は、スマート装置間の関連関係を表す指標であり、シナリオ設定情報は、予め設定される動作と、対応する操作の実行との間の対応情報である。ここで、連動指標に対応するシナリオ設定情報は、スマートシナリオの個数を含む。スマートシナリオは、ユーザが予め設定した、検出又は入力を介した後、対応する操作をトリガーして実行する動作である。例えば、ユーザの携帯電話がハウスにおけるｗｉｆｉに接続されたか否かを検出し、携帯電話がハウスにおけるｗｉｆｉに接続されたと検出される時、自動的にドアを開ける。また、例えば、ユーザは、スマートフォンにインストールされたスマートホームＡＰＰによってカメラの監視機能を起動して、ハウスカメラで撮影されたシナリオを観察する。
【００３８】
ステップ２０２：安全設備使用情報によって安全指標を計算する。
安全指標Ａ１の計算式である
0006262875.tif 000010
によって、安全指標Ａ１を算出する。上記式において、Ａ１は安全指標を表し、ｎは安全設備の種類個数を表し、ｉは第ｉ類の安全設備を表し、αｉは第ｉ類の安全設備の重みを表し、ここで、
0006262875.tif 000011
であり、Ｎｉは第ｉ類の安全設備の個数を表す。
【００３９】
例えば、５つの種類の安全設備を有し、取得した５種類の安全設備の個数は、第１の類の安全カメラが２つ、第２の類の磁気ドアアラームが１つ、第３の類の音光アラームが５つ、第４類のガスセンサが３つ、第５類の煙センサが２つであり、また５つの種類の安全設備の重みは、それぞれ３０、２０、２０、１５、１５であり、これらの数値を安全指標の計算式に代入すると、
Ａ１=３０*Ｌｏｇ(２+１)+２０*Ｌｏｇ(１+１)+２０*Ｌｏｇ(５+１)+１５*Ｌｏｇ(３+１)+１５*Ｌｏｇ(２+１)=５２
になる。
【００４０】
ただし、前記第ｉ類の安全設備の個数Ｎｉが安全設備の最大値Ｐｍａｘより大きい場合、Ｎｉの値はＰｍａｘになる。
【００４１】
例えば、Ｐｍａｘ=４である場合、上記の数値を安全指標の計算式に代入すると、
Ａ１=３０*Ｌｏｇ(２+１)+２０*Ｌｏｇ(１+１)+２０*Ｌｏｇ(４+１)+１５*Ｌｏｇ(３+１)+１５*Ｌｏｇ(２+１)=５０
になる。
【００４２】
なお、算出された安全指標が予め設定される最大閾値より大きい場合、最大閾値を取る。
【００４３】
ステップ２０３：スマートホームＡＰＰのログイン情報によって、活躍指標を計算する。
活躍指標Ａ２の計算式である
0006262875.tif 000012
によって、活躍指標Ａ２を算出する。
【００４４】
上記式において、Ａ２は活躍指標を表し、Ｔは活動周期を表し、Ｍｊはユーザの活動周期Ｔ内での第j日のログイン回数を表し、ｊは活動周期内の第j日を表し、Ｑｊは活動周期Ｔ内での第j日と締め日である現在の日との日数差を表す。例えば、活動周期が５日であり、５日間の活動周期において、第１の日、即ち締め日である現在の日との日数差が４日である日に、１５回ログインし、第２の日、即ち締め日である現在の日との日数差が３日である日に、２０回ログインし、第３の日、即ち締め日である現在の日との日数差が２日である日に、５０回ログインし、第４日、即ち締め日である現在の日との日数差が１日である日に、２１回ログインし、第５日、即ち締め日である現在の日との日数差が０日である日に、２４回ログインする場合、これらの数値を上記の活躍指標の計算式に代入すると、
Ａ２=Ｌｏｇ(１５+１)*(５-４)+Ｌｏｇ(２０+１)*(５-３)+Ｌｏｇ(５０+１)*(５-２)+Ｌｏｇ(２１+１)*(５-１)+Ｌｏｇ(２４+１)*（５-０）=９
になる。
【００４５】
ステップ２０４：スマートシナリオ設定情報によって、連動指標を計算する。
連動指標Ａ３の計算式である
Ａ３=ｂ*Ｌｏｇ(Ｌ+１)
によって、連動指標Ａ３を算出する。
【００４６】
上記式において、Ａ３は連動指標を表し、ｂはスマートシナリオの重みを表し、Ｌはスマートシナリオの個数を表す。
【００４７】
例えば、スマートシーンの重みが２０であり、スマートシナリオの個数が９９９９個である場合、これらの数値を連動指標の計算式に代入すると、
Ａ３=２０*Ｌｏｇ(９９９９+１)=６０
になる。
【００４８】
なお、ステップ２０２からステップ２０４まで、ステップが任意の順序で実行できる。
【００４９】
ステップ２０５：スマート指標及び設備の個数によって重み計算を行ってスマート指標を取得する。
【００５０】
スマート指標Ｓの計算式である
Ｓ=ｃ１Ａ１＋ｃ２Ａ２＋ｃ３Ａ３＋ｃ４Ｌｏｇ(Ｒ+１)
によって、スマート指標Ｓを取得する。
【００５１】
上記式において、Ｓはスマート指標を表し、Ａ１は安全指標を表し、ｃ１は安全指標Ａ１の重みを表し、Ａ２は活躍指標を表し、ｃ２は活躍指標Ａ２の重みを表し、Ａ３は連動指標を表し、ｃ３は連動指標Ａ３の重みを表し、Ｒは設備の個数を表し、ｃ４は設備の個数Ｒの重みを表し、ここで、
0006262875.tif 000013
ｋ=１、２、３、４である。
【００５２】
例えば、安全指標Ａ１=５０、安全指標の重みｃ１=０．５、活躍指標Ａ２=９、活躍指標の重みｃ２=０．３、連動指標Ａ３=６０、連動指標の重みｃ３=０．３、設備の個数Ｒ=９９、設備の個数重みｃ４=０．１である場合、これらの数値をスマート指標の計算式に代入すると、Ｓ=３８になる。
【００５３】
ステップ２０６：前記安全指標、活躍指標、連動指標、スマート指標を表示する。
【００５４】
図３に示すように、スマート指標、安全指標、活躍指標、及び連動指標を表示する。
【００５５】
また、上記の実施形態に加え、クラウドデータベースから他のユーザのスマート指標を取得して、ユーザの現在のスマートランキングを計算することで、ユーザの参加感をさらに向上できる。
【００５６】
以上を総合すると、本発明のスマート指標計算方法は、安全指標に対応する安全設備使用情報、活躍指標に対応するスマートホームＡＰＰのログイン情報、及び連動指標に対応するスマートシナリオ設定情報を取得し、安全設備使用情報によって安全指標を計算し、スマートホームＡＰＰのログイン情報によって活躍指標を計算し、スマートシナリオ設定情報によって連動指標を計算し、スマート指標と設備の個数によって重み計算を行ってスマート指標を取得し、スマート指標及び設備の個数によって重み計算を行ってスマート指標を取得する。これによって、ユーザは、自分のハウスの知能化程度を取得でき、ユーザの参加感を高め、ユーザの積極性を向上させ、ハウスの知能化程度を向上できる。
【００５７】
図４は、例示的な実施例に係るスマート設備接続装置のブロック図であり、図４に示すように、当該スマート設備接続装置は、スマート指標の、安全設備使用情報、スマートホームＡＰＰのログイン情報、スマートシナリオ設定情報及び設備の個数を含む関連情報を取得するための取得モジュール４０１と、取得モジュールによって取得した前記スマート指標の関連情報に基づき、対応する、安全指標、活躍指標及び連動指標を含むスマート指標をそれぞれ計算するための第１の計算モジュール４０２と、第１の計算モジュールが算出されたスマート指標及び設備の個数によって重み計算を行ってスマート指標を取得するための第２の計算モジュール４０３と、を備える。
【００５８】
ここで、前記取得モジュール４０１は、安全指標に対応する安全設備使用情報、活躍指標に対応するスマートホームＡＰＰのログイン情報、及び連動指標に対応するスマートシナリオ設定情報を取得する。前記第１の計算モジュール４０２は、安全設備使用情報によって安全指標を計算し、スマートホームＡＰＰのログイン情報によって活躍指標を計算し、スマートシナリオ設定情報によって連動指標を計算する。
【００５９】
安全指標を計算する時、前記取得モジュール４０１は、具体的に、安全指標Ａ１に対応する安全設備の種類総数ｎ、及び第ｉ類の安全設備の個数Ｎｉを取得する。第１の計算モジュール４０２は、具体的に、安全指標Ａ１の計算式である
0006262875.tif 000014
によって安全指標Ａ１を取得する。上記式において、Ａ１は安全指標を表し、ｎは安全設備の種類総数を表し、ｉは第ｉ類の安全設備を表し、αｉは第ｉ類の安全設備の重みを表し、ここで、
0006262875.tif 000015
であり、Ｎｉは第ｉ類の安全設備の個数を表す。
【００６０】
ここで、前記第ｉ類の安全設備の個数Ｎｉが安全設備の最大値Ｐｍａｘより大きい場合、Ｎｉの値はＰｍａｘを取る。
【００６１】
活躍指標を計算する時、前記取得モジュール４０１は、具体的に、活躍指標Ａ２に対応する活動周期Ｔ、及びユーザの活動周期Ｔ内での第j日のログイン回数Ｍｊを取得し、また第j日と締め日である現在の日との日数差Ｑｊを計算する。前記第１の計算モジュール４０２は、具体的に、活躍指標Ａ２の計算式である
0006262875.tif 000016
によって活躍指標Ａ２を取得する。上記式において、Ａ２は活躍指標を表し、Ｔは活動周期を表し、Ｍｊはユーザの活動周期Ｔ内での第j日のログイン回数を表し、ｊは活動周期内の第j日を表し、Ｑｊは活動周期Ｔ内での第j日と締め日である現在の日との日数差を表す。
【００６２】
連動指標を計算する時、前記取得モジュール４０１は、具体的に、連動指標Ａ３に対応するスマートシナリオの個数Ｌを取得する。前記第１の計算モジュール４０２は、具体的に、連動指標Ａ３の計算式である
Ａ３=ｂ*Ｌｏｇ(Ｌ+１)
によって連動指標Ａ３を取得する。上記式において、Ａ３は連動指標を表し、ｂはスマートシナリオの重みを表し、Ｌはスマートシナリオの個数を表す。
【００６３】
前記第２の計算モジュール４０３は、スマート指標Ｓの計算式である
Ｓ=ｃ１Ａ１＋ｃ２Ａ２＋ｃ３Ａ３＋ｃ４Ｌｏｇ(Ｒ+１)
によって、スマート指標Ｓを取得する。上記式において、Ｓはスマート指標を表し、Ａ１は安全指標を表し、ｃ１は安全指標Ａ１の重みを表し、Ａ２は活躍指標を表し、ｃ２は活躍指標Ａ２の重みを表し、Ａ３は連動指標を表し、ｃ３は連動指標Ａ３の重みを表し、Ｒは設備の個数を表し、ｃ４は設備の個数Ｒの重みを表し、ここで、
0006262875.tif 000017
ｋ=１、２、３、４である。
【００６４】
本発明のスマート指標計算装置は、スマート指標の関連情報を取得し、取得した関連情報によって対応するスマート指標をそれぞれ計算し、スマート指標及び設備の個数によって重み計算を行ってスマート指標を取得する。これによって、ユーザは、自分のハウスの知能化程度を取得でき、ユーザの参加感を高め、ユーザの積極性を向上させることができるので、ハウスの知能化程度を向上できる。
【００６５】
上記装置に加え、図５は、例示的な実施例に係るスマート設備接続装置のブロック図であり、図５に示すように、当該スマート設備装置は、スマート指標の、安全設備使用情報、スマートホームＡＰＰのログイン情報、スマートシナリオ設定情報及び設備の個数を含む関連情報を取得するための取得モジュール５０１と、取得モジュールによって取得した前記スマート指標の関連情報に基づき、対応する、安全指標、活躍指標及び連動指標を含むスマート指標をそれぞれ計算するための第１の計算モジュール５０２と、第１の計算モジュールが算出されたスマート指標及び設備の個数によって重み計算を行ってスマート指標を取得するための第２の計算モジュール５０３と、前記安全指標、活躍指標、連動指標、及びスマート指標を表示する表示モジュール５０４と、を有する。
【００６６】
本発明のスマート指標計算方法は、スマート指標の関連情報を取得し、取得した関連情報によって対応するスマート指標をそれぞれ計算し、スマート指標及び設備の個数によって重み計算を行ってスマート指標を取得し、前記安全指標、活躍指標、連動指標、及びスマート指標を表示させる。これによって、ユーザは、自分のハウスの知能化程度を取得でき、ユーザの参加感を高め、ユーザの積極性を向上させることができるので、ハウスの知能化程度を向上できる。
【００６７】
上記実施例における装置に対して、それぞれのモジュールが実行する操作の具体的な実施形態は、既に該当方法の実施例において詳しく説明したので、ここで省略する。
【００６８】
図６は、例示的な実施例に係る電話番号名付けの装置６００のブロック図である。例えば、装置６００は、携帯電話、コンピュータ、デジタル放送端末、メッセージ送受信設備、ゲームコントロール、タブレットデバイス、医療設備、フィットネス設備、ＰＡＤなどであってもよい。
【００６９】
図６に示すように、装置６００は、処理ユニット６０２、メモリ６０４、電源ユニット６０６、マルチメディアユニット６０８、オーディオユニット６１０、入力/出力（Ｉ／Ｏ）インターフェース６１２、センサユニット６１４、及び通信ユニット６１６の構成要素を１つ又は複数を含んでもよい。
【００７０】
処理ユニット６０２は、通常、装置６００全体の操作を制御するものであり、例えば、表示、電話呼び出し、データ通信、カメラ操作、及び記録操作と関連する操作を制御する。処理ユニット６０２は、１つ又は複数のプロセッサ６１８を含んで指令を実行することにより、上記方法の全部又は一部のステップを実現するように構成されてもよい。また、処理ユニット６０２は、他のユニットとのインタラクションを容易にできるように、１つ又は複数のモジュールを含んでもよい。例えば、処理ユニット６０２は、マルチメディアユニット６０８と処理ユニット６０２との間のインタラクションを容易にできるように、マルチメディアモジュールを含んでもよい。
【００７１】
メモリ６０４は、装置６００での操作をサポートできるように、各種のデータを記憶するように配置される。これらのデータは、例えば、装置６００で操作するための何れのアプリケーションプログラム又は方法の指令、連絡先データ、電話帳データ、メッセージ、画像、ビデオ等を備える。メモリ６０４は、何れの種類の揮発性又は不揮発性メモリ、或いはそれらの組み合わせ、例えば、静的随時読み出し書き込みメモリ（ＳＲＡＭ）、電気的に消去可能なプログラム可能読取り専用メモリ（ＥＥＰＲＯＭ）、消去可能なプログラム可能読取り専用メモリ（ＥＰＲＯＭ）、プログラム可能読取り専用メモリ（ＰＲＯＭ）、読取り専用メモリ（ＲＯＭ）、磁気メモリ、フラッシュメモリ、磁気ディスク又はコンパクトディスクにより実現することができる。
【００７２】
電源ユニット６０６は、装置６００の各種のユニットに電力を供給する。電源ユニット６０６は、電源管理システム、１つ又は複数の電源、及び装置６００への電力生成、管理及び分配に関わる他のユニットを備えてもよい。
【００７３】
マルチメディアユニット６０８は、前記装置６００とユーザとの間に出力インターフェースを提供するスクリーンを備える。ある実施例では、スクリーンは、液晶ディスプレイ（ＬＣＤ）及びタッチパネル（ＴＰ）を備えてもよい。スクリーンは、タッチパネルを備えると、ユーザからの入力信号を受信するために、タッチスクリーンとすることができる。タッチパネルは、タッチ、スライド又はタッチパネル上の手振りを感知するように１つ又は複数のタッチセンサを有する。前記タッチセンサは、タッチ又はスライド動作の境界を感知できるだけでなく、前記タッチ又はスライド操作に関わる持続時間及び圧力も感知できる。ある実施例では、マルチメディアユニット６０８は、１つのフロントカメラ及び／又はバックカメラを有する。装置６００が操作モード、例えば、撮影モード又はビデオモードにある時、フロントカメラ及び／又はバックカメラが外部のマルチメディアデータを受信できる。各フロントカメラ及びバックカメラは、固定の光学レンズ系であってもよいし、焦点距離及び光学ズーム能力を有するものであってもよい。
【００７４】
オーディオユニット６１０は、オーディオ信号を出力及び／又は入力するように配置される。例えば、オーディオユニット６１０は、１つのマイクロフォン（ＭＩＣ）を有し、装置６００が、例えば、呼び出しモード、記録モード、またはビデオ認識モード等の操作モードにあるとき、マイクロフォンは、外部のオーディオ信号を受信するように配置される。受信したオーディオ信号は、メモリ６０４に記憶されてもよいし、通信ユニット６１６を介して送信されてもよい。ある実施例では、オーディオユニット６１０は、オーディオ信号を出力するためのスピーカをさらに備えてもよい。
【００７５】
Ｉ／Ｏインターフェース６１４は、処理ユニット６０２と外部のインターフェースモジュールとの間にインターフェースを提供する。上記外部のインターフェースモジュールは、キーボード、クリックホイール、ボタン等であってもよい。これらのボタンは、ホームボタン、音量ボタン、スタートボタン及びロックボタンを備えてもよいが、それらに限るものではない。
【００７６】
センサユニット６１４は、装置６００の各方面の状態を評価するための１つ又は複数のセンサを備える。センサユニット６１４は、装置６００のオン／オフ状態、ユニットの相対的な位置を検出することが可能である。センサユニット６１４は、例えば、前記ユニットが装置６００のディスプレイ及びキーパッドである。センサユニット６１４は、装置６００又は装置６００の１つのユニットの位置変化、ユーザが装置６００に接触しているか否か、装置６００の方向又は加速／減速、及び装置６００の温度変化を検出することができる。センサユニット６１４は、何れの物理的な接触もない場合に付近の物体を検出するように配置される近接センサを有してもよい。センサユニット６１４は、例えば、ＣＭＯＳ又はＣＣＤ画像センサ等の撮像アプリケーションに用いるための光センサを有してもよい。ある実施例では、当該センサユニット６１４は、加速度センサ、ジャイロスコープセンサ、磁気センサ、圧力センサ又は温度センサをさらに備えてもよい。
【００７７】
通信ユニット６１６は、装置６００と他の設備との無線又は有線通信を便利にさせるように配置される。装置６００は、通信標準に基づく無線ネットワーク、例えば、ＷｉＦｉ、２Ｇや３Ｇ、又はそれらの組み合わせにアクセスできる。１つの例示的な実施例では、通信ユニット６１６は、放送チャンネルを介して外部の放送管理システムの放送信号又は放送に関する情報を受信する。１つの例示的な実施例では、前記通信ユニット６１６は、近距離通信を促進するために近距離無線通信（ＮＦＣ）モジュールをさらに備える。例えば、ＮＦＣモジュールは、無線周波数認識装置（ＲＦＩＤ）技術、アイアールディーエイ（ＩｒＤＡ）技術、超広帯域無線（ＵＷＢ）技術、ブルートゥース（ＢＴ）技術及び他の技術によって実現されてもよい。
【００７８】
例示的な実施例では、装置６００は、上述した方法を実行するために、１つ又は複数の特定用途向け集積回路（ＡSIＣ）、デジタル信号プロセッサ（ＤＳＰ）、数字信号処理デバイス（ＤＳＰＤ）、プログラム可能論理デバイス（ＰＬＤ）、書替え可能ゲートアレイ（ＦＰＧＡ）、コントローラ、マイクロコントローラ、マイクロプロセッサー又は他の電子機器によって実現されてもよい。
例示的な実施例では、指令を有する非一時性のコンピュータ読み取り可能な記憶媒体、例えば、指令を有するメモリ６０４をさらに提供する。前記指令は、上述した方法を実現するために、装置６００のプロセッサ６２０により実行されてもよい。例えば、前記非一時性コンピュータ読み取り可能な記憶媒体は、ＲＯＭ、読取り書込みメモリ（ＲＡＭ）、ＣＤ-ＲＯＭ、磁気テープ、ソフトディスク及び光データ記憶装置等であってもよい。
【００７９】
当業者は、明細書に開示された発明の詳細を考慮して本発明を実施することにより、本発明の他の実施形態を容易に想定することができる。本願は、本発明の任意の変形、用途又は適応を含む。これらの変形、用途又は適当は、本発明の一般的な原理に基づくものであり、本発明に開示されていない本技術分野の公知常識又は慣用の技術的手段を含む。明細書及び実施例は、例示的なものに過ぎない。本発明の保護範囲及び趣旨は特許請求の範囲に基づく。
【００８０】
なお、本発明は、上述の説明及び図面に示した構造に限らず、その範囲から逸脱しない範囲で様々な補正及び変化を実施することができる。本発明の範囲は、特許請求の範囲のみに制限される。
【００８１】
本願は、出願番号がＣＮ２０１４１０６０２７００．８であって、出願日が２０１４年１０月３１日である中国特許出願に基づき優先権を主張し、当該中国特許出願の内容のすべてを本願に援用する。
【図１】
0006262875.tif 000026
【図２】
0006262875.tif 000027
【図３】
0006262875.tif 000028
【図４】
0006262875.tif 000029
【図５】
0006262875.tif 000030
【図６】
0006262875.tif 000031